(57)【要約】【課題】エアフィルタの清掃忘れを削減できる手乾燥装置を得る。【解決手段】手乾燥装置１００は、本体１と、この本体１内に内蔵され高圧空気流を発生する高圧空気流発生装置３と、この高圧空気流発生装置３に供給する空気を外部から取り込む吸気口９ａを覆うエアフィルタ２０と、高圧空気流発生装置３により発生された高圧空気流を噴出するノズル７ａ，７ｂと、このノズル７ａ，７ｂから噴出された高圧空気流により手から吹き飛ばされた水を排水する排水口４を有する手挿入部２と、排水口から排水された水を貯留するドレン容器１０とを備え、ドレン容器１０は、本体１に抜き差し可能に引き出し状に設けられ、エアフィルタ２０は、ドレン容器１０に隣接して本体１に抜き差し可能に設けられており、ドレン容器１０は、エアフィルタ２０に設けられた被係合部２２ａに係合して本体１から引き出された際にエアフィルタ２０を連結して引き出す係合部１１ｂを有する。【選択図】        図１
2007044344.tif 000002
【特許請求の範囲】
【請求項１】
本体と、該本体内に内蔵され高圧空気流を発生する高圧空気流発生装置と、該高圧空気流発生装置に供給する空気を外部から取り込む吸気口を覆うエアフィルタと、前記高圧空気流発生装置により発生された高圧空気流を噴出するノズルと、該ノズルから噴出された高圧空気流により手から吹き飛ばされた水を排水する排水口を有する手挿入部と、前記排水を貯留するドレン容器とを備え、
前記ドレン容器は、前記本体に抜き差し可能に引き出し状に設けられ、前記エアフィルタは、前記ドレン容器に隣接して前記本体に抜き差し可能に設けられており、
前記ドレン容器は、前記エアフィルタに設けられた被係合部に係合して前記本体から引き出された際に前記エアフィルタを連結して引き出す係合部を有している
ことを特徴とする手乾燥装置。
【請求項２】
前記エアフィルタが前記本体から引き出される際には、前記係合部は前記被係合部から外れ、前記エアフィルタのみが前記本体から引き出される
ことを特徴とする請求項１に記載の手乾燥装置。
【請求項３】
前記係合部の前記被係合部に対する引き出し方向の係合力は、
前記係合部の前記被係合部に対する引き込み方向の係合力よりも大きい
ことを特徴とする請求項１に記載の手乾燥装置。
【請求項４】
前記係合部の前記被係合部に対する引き出し方向の係合力は、
前記エアフィルタと前記本体との間の摩擦力よりも大きい
ことを特徴とする請求項１に記載の手乾燥装置。
【請求項５】
前記係合部の前記被係合部に対する引き込み方向の係合力は、
前記ドレン容器と前記本体との間の摩擦力よりも小さい
ことを特徴とする請求項１に記載の手乾燥装置。
【請求項６】
前記係合部が、前記ドレン容器の底部裏面に突設された係合突部であり、
前記被係合部が、前記エアフィルタの前部に設けられた取手に開口された係合穴である  ことを特徴とする請求項１から５のいずれか１項に記載の手乾燥装置。
【請求項７】
前記係合部が、前記ドレン容器の底部裏面に突設された係合突部であり、
前記被係合部が、前記エアフィルタの前部に設けられた取手に開口された係合穴であり、前記係合部の前記被係合部に対する引き出し方向の係合力、及び引き込み方向の係合力の大きさの差は、前記係合突部の引き出し側の形状と引き込み側の形状とを異なるものとすることにより生成されている
ことを特徴とする請求項３から５のいずれか１項に記載の手乾燥装置。
【請求項８】
本体と、該本体内に内蔵され高圧空気流を発生する高圧空気流発生装置と、該高圧空気流発生装置に供給する空気を外部から取り込む吸気口を覆うエアフィルタと、前記高圧空気流発生装置により発生された高圧空気流を噴出するノズルと、該ノズルから噴出された高圧空気流により手から吹き飛ばされた水を排水する排水口を有する手挿入部と、前記排水口から排水された水を貯留するドレン容器とを備え、
前記ドレン容器は、前記本体に抜き差し可能に引き出し状に設けられ、前記エアフィルタは、前記ドレン容器に隣接して前記本体に抜き差し可能に設けられており、
前記ドレン容器は、前記エアフィルタに設けられた第１の被係合部に係合して前記本体から引き出された際に前記エアフィルタを連結して引き出す第１の係合部と、前記本体に設けられた第２の被係合部に係合して前記本体から前記エアフィルタが引き出された際でも前記本体内に留まる第２の係合部とを有している
ことを特徴とする手乾燥装置。
【請求項９】
前記第１の係合部の前記第１被係合部に対する引き込み方向の係合力は、
前記第２の係合部の前記第２被係合部に対する引き出し方向の係合力よりも小さい
ことを特徴とする請求項８に記載の手乾燥装置。
【請求項１０】
前記第１の係合部の前記第１被係合部に対する引き込み方向の係合力は、
前記第２の係合部の前記第２被係合部に対する引き出し方向の係合力に前記ドレン容器と前記本体との間の摩擦力を加えた力よりも小さい
ことを特徴とする請求項８に記載の手乾燥装置。
【発明の詳細な説明】
【技術分野】
【０００１】
本発明は、高圧空気流により手に付着した水滴を吹き飛ばし洗浄後の濡れた手を衛生的に乾燥させる手乾燥装置に関するものである。
【背景技術】
【０００２】
洗浄後の濡れた手を乾燥させる装置として、高圧空気流により手に付着した水滴を吹き飛ばし乾燥させる手乾燥装置がある。この装置は、箱体に凹状形態に処理空間としての手挿入部が設けられ、手挿入部にはエアーノズルが配設されている。エアーノズルには高圧空気流発生装置に接続されたエアーダクトが繋がれており、これにより手挿入部内に高圧空気流を噴出することができる。手の乾燥処理に伴い手挿入部内に吹き飛ばされた水は、手挿入部の底部に設けられた排水口から装置下部に設けられたドレン容器に滴下して貯留される。なお、この種の従来技術としては、特許文献１に開示されているものがある。
【０００３】
【特許文献１】特開平１１−２４４１９２号公報
【発明の開示】
【発明が解決しようとする課題】
【０００４】
このような構成の手乾燥装置においては、高圧空気流を発生する高圧空気流発生装置を装備している。この高圧空気流発生装置には、外部から吸い込んだ空気が供給されるが、塵埃を除去する目的で吸気口には必ずエアフィルタが設けられている。
【０００５】
このエアフィルタが塵埃により目詰まりすると装置の能力が落ちる。そのため、１週間に１回程度の定期的な清掃が必要である。従来、エアフィルタの清掃忘れを防止するために、ドレン容器とエアフィルタを連結したものが提案されている。こうした構造を採ることにより、比較的定期的に清掃されるドレン容器と同時にエアフィルタも清掃される可能性が高まる。しかしながらこの提案のものはエアフィルタだけを取外して清掃することが出来ないとう課題も含んでいた。
【０００６】
この発明は上述のような従来の問題点を解決するためになされたもので、その課題とするところは、エアフィルタの清掃忘れを削減できる手乾燥装置を得ることである。
【課題を解決するための手段】
【０００７】
この発明は上述のような課題を解決するためになされたものであり、この発明に係る手乾燥装置は、本体と、この本体内に内蔵され高圧空気流を発生する高圧空気流発生装置と、この高圧空気流発生装置に供給する空気を外部から取り込む吸気口を覆うエアフィルタと、高圧空気流発生装置により発生された高圧空気流を噴出するノズルと、このノズルから噴出された高圧空気流により手から吹き飛ばされた水を排水する排水口を有する手挿入部と、排水口から排水された水を貯留するドレン容器とを備え、ドレン容器は、本体に抜き差し可能に引き出し状に設けられ、エアフィルタは、ドレン容器に隣接して本体に抜き差し可能に設けられており、ドレン容器は、エアフィルタに設けられた被係合部に係合して本体から引き出された際にエアフィルタを連結して引き出す係合部を有している。
【０００８】
また、この発明に係る他の手乾燥装置は、本体と、この本体内に内蔵され高圧空気流を発生する高圧空気流発生装置と、この高圧空気流発生装置に供給する空気を外部から取り込む吸気口を覆うエアフィルタと、高圧空気流発生装置により発生された高圧空気流を噴出するノズルと、このノズルから噴出された高圧空気流により手から吹き飛ばされた水を排水する排水口を有する手挿入部と、排水口から排水された水を貯留するドレン容器とを備え、ドレン容器は、本体に抜き差し可能に引き出し状に設けられ、エアフィルタは、ドレン容器に隣接して本体に抜き差し可能に設けられており、ドレン容器は、エアフィルタに設けられた第１の被係合部に係合して本体から引き出された際にエアフィルタを連結して引き出す第１の係合部と、本体に設けられた第２の被係合部に係合して本体からエアフィルタが引き出された際でも本体内に留まる第２の係合部とを有している。
【発明の効果】
【０００９】
この発明に係る手乾燥装置は、エアフィルタの清掃忘れを削減することができる。また、エアフィルタのみを取り外すことができる。
【発明を実施するための最良の形態】
【００１０】
以下、本発明に係る手乾燥装置の実施の形態を図面に基づいて詳細に説明する。なお、この実施の形態によりこの発明が限定されるものではない。
【００１１】
実施の形態１．
図１は本発明に係る手乾燥装置の実施の形態１を示す縦断面図である。図中実線は気流の流れを示し、図中点線は手から排除された水滴の流れを示す。図１において、本体を構成する本体箱体１は、手乾燥装置１００の外郭を成し、この本体箱体１の上面および側面には下部方向に傾斜を有してほぼＵ字状に開口して手を自在に挿抜できる手挿入部２が設けられている。また、本体箱体１の手挿入部２の下方には高圧空気流発生装置としての送風機３が内蔵されている。手挿入部２の底部には、排水口４が形成されており、この排水口４には排水管５が接続され、この排水管５は本体箱体１の下部に配設されたドレン容器１０まで延びている。なお、手から排除された水滴および水のことをドレンという。手挿入部２の対向面である内壁表面２ａ，２ｂには、シリコン系もしくはフッ素系等の撥水性コーティング、または酸化チタン等の親水性があるコーティングがなされ、さらにこれらコーティングには抗菌材が含浸されており、内壁表面２ａ，２ｂの汚れ付着を低減させると共に菌の繁殖を低減させるようにしてある。
【００１２】
手挿入部２の入口近傍の内壁表面２ａ，２ｂには、送風機３が発生した高圧空気流を噴出する第１，第２のノズル７ａ，７ｂが設けられており、この第１，第２のノズル７ａ，７ｂは、手の甲側と掌側の双方に風を当て、かつ、入口から奥への圧力勾配を形成するような傾斜を有しており、手挿入部２に挿入した手を擦り合わせることなく、手に付着した水滴を手の表裏から排除できるようになっている。また、手挿入部２の前面の下部には、手の挿入を検知するための第１の手検知センサ８ａが設けられ、後面のほぼ中央部には第２の手検知センサ８ｂが設けられている。
【００１３】
本体箱体１の下部には吸気ダクト９が設けられている。吸気ダクト９は、本体箱体１のほぼ中央部に設けられた送風機３から蛇行するようにして下方に延び、ドレン容器の背後をとおって、本体箱体１の最下部に達し、本体箱体１の底面に吸気口９ａを開口しているつまり、吸気ダクト９はドレン容器１０の背後を通った後、本体箱体１の底面に吸気口９ａを開口している。そして、吸気口９ａにはエアフィルタ２０が取り付けられている。送風機３の上部には吸気ダクト９と連通する排気口１４が設けられ、第１、第２の排気ダクト１５ａ，１５ｂに連通して、ノズル７ａ，７ｂから空気を噴出するようになっている。
【００１４】
上記のように構成した手乾燥装置１００の動作を説明する。手乾燥装置１００の手挿入部２に、洗浄後の濡れた手を手首付近まで入れると、手挿入部２に設けた第１，第２の手検知センサ８ａ，８ｂが手の挿入を検知して、送風機３を作動させる。送風機３が作動すると、エアフィルタ２０を通って吸気口９ａから空気が流入し、吸気ダクト９を通って、送風機３に送られ、ここで高圧化される。
【００１５】
送風機３を通過した空気は高圧空気流となり、排気口１４から第１，第２の排気ダクト１５ａ，１５ｂを通り、第１，第２のノズル７ａ，７ｂから手挿入部２内に噴出される。第１，第２のノズル７ａ，７ｂから噴出された高圧空気流は、手挿入部２内に挿入された手に当たり、手の表面に付着していた水を水滴として吹飛ばす。さらに、手挿入部２で手を挿抜すると、手全体に付着していた水滴がすべて排除され、手が乾燥する。手を手挿入部２から抜くと、第１，第２の手検知センサ８ａ，８ｂがこれを検知し、送風機３が停止する。濡れた手から剥離した水滴は手挿入部２に当たり、その内壁表面２ａ，２ｂを伝わって流れ、手挿入部２の底部に設けられた排水口４及び排水管５を通って、ドレン容器１０に回収される。
【００１６】
図２は図１のドレン容器１０及びエアフィルタ２０の近傍を拡大して示す拡大断面図である。図３は本体箱体１からドレン容器１０及びエアフィルタ２０を取り外した様子を示す斜視図である。ドレン容器１０は、上部が開放された概略扁平箱状のドレン容器本体１１と、ドレン容器本体の上部開口に対してこれに蓋をする蓋体１２とから構成されている。蓋体１２の外周縁は、ドレン容器本体１１の外周縁に対して密閉して接合可能とされている。ドレン容器本体１１の底部裏面には、係合部（第１の係合部）を構成する係合突起１１ｂが設けられている。蓋体１２には、排水管５の下端が挿入される挿入口１２ａが設けられている。
【００１７】
このドレン容器１０は、本体箱体１の下部に水平方向に形成された概略ドレン容器１０と同じ形状の収容凹部１ａに引き出し状に収容されており、本体箱体１の前方方向に引き出されるようにされている。そしてさらに、最後まで引き出すことにより本体箱体１から引き抜き可能で、脱着自在とされている。このような構成のドレン容器１０は、満水になる前に、例えば１週間に１回程度排水と清掃が行われる。
【００１８】
エアフィルタ２０は、樹脂繊維を編み込んで重ねた微細な目を持つ矩形網状のフィルタと、取り扱いを容易にする目的でこのフィルタの縁部を全周にわたって覆う金属製の枠体とから構成された概略板状を成すフィルタ部２１と、フィルタ部２１の前側の１辺から前方に延びるように設けられた取手２２とを含んで構成されている。取手２２の中央部には被係合部（第１の被係合部）を構成する係合穴が開口されている。このエアフィルタ２０は、本体箱体１の最下部で、ドレン容器１０の直ぐ下に隣接して配置され、本体箱体１に設けられたガイドレール１ｂに案内されて、本体箱体１の前方方向（ドレン容器１０の引き出し方向と同じ方向）に引き出されるようにされている。そして、前方方向に引き抜き可能で、脱着自在とされていると同時に、本体箱体１に装着時は、本体箱体１の下面に形成された吸気ダクト９の吸気口９ａを覆い、吸入する外部空気を濾過する。このような構成のエアフィルタ１０も、塵埃による目詰まりを解消するために、例えば１週間に１回程度排水と清掃が行われる。
【００１９】
つぎに、ドレン容器１０の排水と清掃の方法とエアフィルタ２０の清掃の方法を簡単に説明する。まず図４のように、ドレン容器１０を、貯留されているドレンがこぼれないように水平に保ちながら図中矢印Ａで示すように前方方向に引き抜く、その後、図５のようにドレン容器本体１１から蓋体１２を外してドレンを捨て、その後、図６のように、ドレン容器本体１１を水洗いする。ドレン容器１０を再び本体箱体１に装着する際には、ドレン容器本体１１に蓋体１２を閉めた後、逆の手順で装着する。
【００２０】
一方、エアフィルタ２０は、図７のように取手２２をつかんで図中矢印Ｂで示すように前方方向に引き抜く、そして、軽く手でたたいて塵埃を落とすか、もしくは、図８のように掃除機で、塵埃を吸い取る。その後、逆の手順で再び本体箱体１に装着する。
【００２１】
図９は点線で示す本体収容位置からドレン容器１０とエアフィルタ２０とが連結して引き出された様子を示す横断面図である。ドレン容器１０とエアフィルタ２０とがともに、本体箱体１の収容位置にあるときは、ドレン容器本体１１の底部裏面に形成された係合突起１１ｂは、エアフィルタ２０の係合穴２２ａと係合している。そして、図中矢印Ｃで示すようにドレン容器１０が本体箱体１から引き出される際、係合突起１１ｂは係合穴２２ａに係合してエアフィルタ２０を引く。これにより、ドレン容器１０が本体箱体１から引き出される際、エアフィルタ２０も連結して引き出される。
【００２２】
図１０はドレン容器本体１１の底部裏面に形成された係合突起１１ｂの詳細を示す拡大図である。係合突起１１ｂには、ほぼ中央部に装置の前方方向に向ように形成された段部１１ｃが設けられている。係合突起１１ｂの段部１１ｃより前方方向の形状は、段部１１ｃの水平部からそのまま高さが高くなることなく滑らかに連続する円弧状とされている。一方、係合突起１１ｂの段部１１ｃより後方方向の形状は、段部１１ｃの垂直部からそのまま山なりに一旦高さが高くなった後、低くなる滑らかに連続した円弧の組み合わせとされている。
【００２３】
そのため、係合突起１１ｂが、係合穴２２ａに対して、前方（引き出し方向）に移動する際には、係合突起１１ｂは段部１１を係合穴２２ａにしっかりと係合させて（係合力大）、エアフィルタ２０を連結して引き出す。一方、係合突起１１ｂが係合穴２２ａに対して後方（引き込み方向）に移動する際には、つまり、例えば、ドレン容器１０がそのまま本体箱体１に装着されており、エアフィルタ２０を引き出す場合には、係合突起１１ｂは係合穴２２ａから容易に外れる（係合力小）。そのため、エアフィルタ２０を手前に引いた場合には、エアフィルタ２０のみが引き出される。
【００２４】
さらに詳細に説明すると、互いに係合している係合部と被係合部とを外す力を係合力とした場合に、本実施の形態においては、係合突起１１ｂの係合穴２２ａに対する引き出し方向の係合力は、係合突起１１ｂの係合穴２２ａに対する引き込み方向の係合力よりも大きくされている。また、係合突起１１ｂの係合穴２２ａに対する引き出し方向の係合力は、エアフィルタ２０と本体箱体１との間の摩擦力よりも大きくされており、係合突起１１ｂの係合穴２２ａに対する引き込み方向の係合力は、ドレン容器１０と本体箱体１との間の摩擦力よりも小さくされている。
【００２５】
そのため、ドレン容器１０を手前に引いた場合には、係合突起１１ｂと係合穴２２ａとの係合力が、エアフィルタ２０と本体箱体１との間の摩擦力に打ち勝って、ドレン容器１０がエアフィルタ２０を連結して引き出し、一方、エアフィルタ２０を手前に引いた場合には、係合突起１１ｂと係合穴２２ａとの係合力よりも、ドレン容器１０と本体箱体１との間の摩擦力のほうが大きいので、ドレン容器１０と本体箱体１の収容凹部１ａ内に残り、係合突起１１ｂと係合穴２２ａとの係合が外れ、エアフィルタ２０のみが引き出される。
【００２６】
以上のように、本実施の形態の手乾燥装置においては、ドレン容器１０を手前に引いた場合には、ドレン容器１０とエアフィルタ２０とが連結して引き出され、エアフィルタ２０を手前に引いた場合には、エアフィルタ２０のみが引き出されるので、比較的定期的に清掃されるドレン容器と同時にエアフィルタ２０も清掃される可能性が高まり、エアフィルタ２０の清掃忘れを削減することができ、さらにエアフィルタ２０のみを取り外して清掃することもできる。
【００２７】
実施の形態２．
図１１は本発明に係る手乾燥装置の実施の形態２を示す縦断面図である。本実施の形態の手乾燥装置１１０のドレン容器３０においては、ドレン容器３０を収容する収容凹部１ａの底部上面に第２の被係合部を構成する係合突起１３が突設されている。これに対して、ドレン容器本体３１の底部裏面には、係合突起１３と同形状の空間が形成されるように設けられた第２の係合部を構成する係合凹部３２が凹設されている。その他の構成は、実施の形態１と同様である。
【００２８】
図１２は点線で示す本体収納位置からエアフィルタ２０のみ引き出された様子を示す横断面図である。本実施の形態においても、図中矢印Ｅで示すように、エアフィルタ２０を手前に引いた場合には、エアフィルタ２０のみが引き出される。ドレン容器１０とエアフィルタ２０とがともに、本体箱体１の収容位置にあるときは、ドレン容器本体３１の底部裏面に形成された係合突起１１ｂは、エアフィルタ２０の係合穴２２ａと係合している。さらに、ドレン容器本体３１の底部裏面に形成された係合凹部３２は、収容凹部１ａの底部上面に形成された係合突起１３と係合している。
【００２９】
図１３はドレン容器本体３１の底部裏面に形成された係合凹部３２及び収容凹部１ａの底部上面に形成された係合突起１３の詳細を示す図１２のＣ部分を拡大して示す拡大図である。係合突起１３は、断面が偏平三角形の柱状を成しており、引き出し方向に面した斜面１３ａと、引き込み方向に面した斜面１３ｂとでは、傾く角度が異なる。係合凹部３２は、係合突起１３と同形状の空間を形成する凹部なので、装置に向かって手前側に形成された斜面３２ａは、斜面１３ａと平行を成す斜面とされており、装置に向かって奥側に形成された斜面３２ｂは、斜面１３ｂと平行を成す斜面とされている。
【００３０】
このような本体箱体１との間で係合部を有する本実施の形態のドレン容器３０においては、係合凹部３２と係合突起１３とが設けられているので、本体箱体１がドレン容器３０を、収容凹部１ａ内に留まらせるように力が増す。そのため、エアフィルタ２０を手前に引いた場合には、エアフィルタ２０のみが引き出される動作において、確実性が向上するとともに、本体箱体１との間に働く摩擦力等を考慮しなくても、当該動作を確実に実現することができる。
【００３１】
さらに詳細に説明すると、本実施の形態においては、係合突部１１ｂの係合穴２２ａに対する引き込み方向の係合力は、係合凹部３２の係合突起１３に対する引き出し方向の係合力よりも小さくされている。そして、両係合力は、摩擦力、すなわち、本体箱体１とドレン容器３０、及び本体箱体１とエアフィルタ２０との摩擦力に比べて非常に大きい。そのため、摩擦力等を考慮しなくても、エアフィルタ２０を手前に引いた場合には、エアフィルタ２０のみが引き出されるという所望の動作を確実に実現することができる。また、摩擦力等を考慮しなくてもよいので、設計変更等行う際に考慮しなければならない点が減り設計が容易になる。
【００３２】
なお、本実施の形態の手乾燥装置１１０においては、上述のように、摩擦力を考慮しなくてもよいものとされているが、もちろん、考慮されてもよい。その場合、係合突部１１ｂの係合穴２２ａに対する引き込み方向の係合力が、係合凹部３２の係合突起１３に対する引き出し方向の係合力にドレン容器３０と本体との間の摩擦力を加えた力よりも小さいものとすればよい。このような構成とすることで、係合凹部３２と係合突起１３との間に発生する係合力が小さなもので済むこととなり、係合凹部３２と係合突起１３との大きさを小さなものとすることができ、これにより、ドレン容器３０も小さな力で抜き差しできるようになるので使い勝手が向上する。
【００３３】
また、ドレン容器３０を引き出すのに、大きな力を必要とするので、例えば地震等により、ドレン容器３０を収容凹部１ａから出そうとする力が働いても、誤ってドレン容器３０が飛び出してしまうことがなく信頼性・安全性が向上する。
【産業上の利用可能性】
【００３４】
オフィスビル、ホテル、ファミリーレストラン、アミューズメント施設、総合スーパーマーケット、食品・医薬品・化粧品・その他一般の工場、学校、公共施設等のトイレ及び手洗い場に設置される手乾燥装置に適用されて好適なものである。
【図面の簡単な説明】
【００３５】
【図１】本発明に係る手乾燥装置の実施の形態１を示す縦断面図である。
【図２】図１のドレン容器及びエアフィルタの近傍を拡大して示す拡大断面図である。
【図３】本体箱体からドレン容器及びエアフィルタを取り外した様子を示す斜視図である。
【図４】ドレン容器の清掃手順のうち、ドレン容器を引き抜く様子を示す図である。
【図５】ドレン容器の清掃手順のうち、ドレン容器本体から蓋体を外す様子を示す図である。
【図６】ドレン容器の清掃手順のうち、ドレン容器本体を水洗いする様子を示す図である。
【図７】エアフィルタの清掃手順のうち、エアフィルタを引き抜く様子を示す図である。
【図８】エアフィルタの清掃手順のうち、掃除機によりエアフィルタから塵埃を除去する様子を示す図である。
【図９】本体箱体の本体収容位置からドレン容器とエアフィルタとが連結して引き出された様子を示す横断面図である。
【図１０】ドレン容器本体の底部裏面に形成された係合突起の詳細を示す拡大図である。
【図１１】本発明に係る手乾燥装置の実施の形態２を示す縦断面図である。
【図１２】本体箱体の本体収納位置からエアフィルタのみ引き出された様子を示す横断面図である。
【図１３】ドレン容器本体の底部裏面に形成された係合凹部及びその底部上面に形成された係合突起の詳細を示す拡大図である。
【符号の説明】
【００３６】
１    本体箱体（本体）
１ａ    収容凹部
１ｂ    ガイドレール
２    手挿入部
２ａ    内壁表面（手前側）
２ｂ    内壁表面（奥側）
３    送風機（高圧空気流発生装置）
４    排水口
５    排水管
７ａ    第１のノズル
７ｂ    第２のノズル
８ａ    第１の手検知センサ
８ｂ    第２の手検知センサ
９    吸気ダクト
９ａ    吸気口
１０    ドレン容器
１１    ドレン容器本体
１１ａ    指掛け段部
１１ｂ    係合突部（係合部、第１の係合部）
１２    ドレン容器の蓋体
１２ａ    排水管挿入口
１３    係合突起（第２の被係合部）
１４    排気口
１５ａ，１５ｂ    排気ダクト
２０    エアフィルタ
２１    フィルタ部
２２    取手
２２ａ    係合穴（被係合部、第１の被係合部）
３０    ドレン容
３１    ドレン容器本体
３２    係合凹部（第１の係合部）
１００    手乾燥装置
【図１】
2007044344.tif 000003
【図２】
2007044344.tif 000004
【図３】
2007044344.tif 000005
【図４】
2007044344.tif 000006
【図５】
2007044344.tif 000007
【図６】
2007044344.tif 000008
【図７】
2007044344.tif 000009
【図８】
2007044344.tif 000010
【図９】
2007044344.tif 000011
【図１０】
2007044344.tif 000012
【図１１】
2007044344.tif 000013
【図１２】
2007044344.tif 000014
【図１３】
2007044344.tif 000015